(57)【要約】【課題】効率の良いＬＣＡＳにおける処理手順を実現し、損失データ量を低減する。【解決手段】ソースノードまたはシンクノードは、ＶＣパスの経路情報を保持し、ＬＣＡＳ処理には経路情報に基づいた効率の良い処理を実現する。【選択図】図１
2008306625.tif 000002
【特許請求の範囲】
【請求項１】
入力信号をＶＣ(Virtual Container)単位のパス信号に収容し、ＶＣパスを用いて伝送するソースノードと、前記ＶＣパスにより伝送されたＶＣ単位のパス信号を受信して受信信号を出力するシンクノードとを備えたＶＣＡＴ伝送システムにおいて、
前記ソースノードまたは前記シンクノードは、前記ＶＣパスの経路情報を保持する手段を備えたことを特徴とするＶＣＡＴ伝送システム。
【請求項２】
前記経路情報は、接続先毎に経路単位でグループ化された請求項１記載のＶＣＡＴ伝送システム。
【請求項３】
前記経路情報は、前記ソースノードに隣接するノードの情報を含む請求項１または２記載のＶＣＡＴ伝送システム。
【請求項４】
前記経路情報は、前記ソースノードから前記シンクノードまでの経路上の中継ノードの情報を含む請求項１または２記載のＶＣＡＴ伝送システム。
【請求項５】
前記保持する手段は、前記ソースノードから前記シンクノードに前記経路情報を伝達するときには、ＶＣの有するパスオーバーヘッドの空きバイトに前記経路情報を搭載して伝達する請求項２ないし４のいずれかに記載のＶＣＡＴ伝送システム。
【請求項６】
入力信号をＶＣ単位のパス信号に収容し、ＶＣパスを用いて伝送するソースノードと、前記ＶＣパスにより伝送されたＶＣ単位のパス信号を受信して受信信号を出力するシンクノードとを備えたＶＣＡＴ伝送システムに適用される前記ソースノードにおいて、
前記ＶＣパスの経路情報を保持する手段を備えたことを特徴とするソースノード。
【請求項７】
前記経路情報は、接続先毎に経路単位でグループ化された請求項６記載のソースノード。
【請求項８】
前記経路情報は、自ソースノードに隣接するノードの情報を含む請求項６または７記載のソースノード。
【請求項９】
前記経路情報は、自ソースノードから前記シンクノードまでの経路上の中継ノードの情報を含む請求項６または７記載のソースノード。
【請求項１０】
前記シンクノードから経路上の障害発生が通知されたときには、前記経路情報に基づき、その障害発生経路のグループに属する１以上の接続（ＶＣパス）についてほぼ同時に使用不可通知を前記シンクノードに伝達する手段を備えた請求項７ないし９のいずれかに記載のソースノード。
【請求項１１】
入力信号をＶＣ単位のパス信号に収容し、ＶＣパスを用いて伝送するソースノードと、前記ＶＣパスにより伝送されたＶＣ単位のパス信号を受信して受信信号を出力するシンクノードとを備えたＶＣＡＴ伝送システムに適用される前記シンクノードにおいて、
前記ＶＣパスの経路情報を保持する手段を備えたことを特徴とするシンクノード。
【請求項１２】
前記経路情報は、接続先毎に経路単位でグループ化された請求項１１記載のシンクノード。
【請求項１３】
前記経路情報は、前記ソースノードに隣接するノードの情報を含む請求項１１または１２記載のシンクノード。
【請求項１４】
前記経路情報は、前記ソースノードから自シンクノードまでの経路上の中継ノードの情報を含む請求項１１または１２記載のシンクノード。
【請求項１５】
経路上の障害発生を検出したときには、前記経路情報に基づき、障害発生経路のグループに属するその障害発生経路を経由しない最短経路を用いてその障害発生経路のグループに属する１以上の接続（ＶＣパス）の障害発生通知を前記ソースノードに伝達する手段を備えた請求項１２ないし１４のいずれかに記載のシンクノード。
【請求項１６】
入力信号をＶＣ単位のパス信号に収容し、ＶＣパスを用いて伝送するソースノードと、前記ＶＣパスにより伝送されたＶＣ単位のパス信号を受信して受信信号を出力するシンクノードとを備えたＶＣＡＴ伝送システムに適用される前記ソースノードが行うＶＣＡＴ帯域制御方法において、
前記ソースノードは、自ソースノードに隣接するノードの情報または自ソースノードから前記シンクノードまでの経路上の中継ノードの情報を経路情報として保持して利用することを特徴とするＶＣＡＴ帯域制御方法。
【請求項１７】
前記経路情報は、接続先毎に経路単位でグループ化された請求項１６記載のＶＣＡＴ帯域制御方法。
【請求項１８】
前記ソースノードは、前記シンクノードから経路上の障害発生が通知されたときには、前記経路情報に基づき、その障害発生経路のグループに属する接続（ＶＣパス）の使用不可通知をほぼ同時に前記シンクノードに伝達する請求項１６または１７記載のＶＣＡＴ帯域制御方法。
【請求項１９】
入力信号をＶＣ単位のパス信号に収容し、ＶＣパスを用いて伝送するソースノードと、前記ＶＣパスにより伝送されたＶＣ単位のパス信号を受信して受信信号を出力するシンクノードとを備えたＶＣＡＴ伝送システムに適用される前記シンクノードが行うＶＣＡＴ帯域制御方法において、
前記シンクノードは、前記ソースノードに隣接するノードの情報または前記ソースノードから自シンクノードまでの経路上の中継ノードの情報を経路情報として保持して利用することを特徴とするＶＣＡＴ帯域制御方法。
【請求項２０】
前記経路情報は、接続先毎に経路単位でグループ化された請求項１９記載のＶＣＡＴ帯域制御方法。
【請求項２１】
前記シンクノードは、経路上の障害発生を検出したときには、前記経路情報に基づき、障害発生経路のグループに属するその障害発生経路を経由しない最短経路を用いて、その障害発生経路のグループに属する接続（ＶＣパス）の障害発生通知を前記ソースノードに伝達する請求項１９または２０記載のＶＣＡＴ帯域制御方法。
【請求項２２】
前記ソースノードから前記シンクノードに前記経路情報を伝達するときには、ＶＣの有するパスオーバーヘッドの空きバイトに前記経路情報を搭載して伝達する請求項２０または２１記載のＶＣＡＴ帯域制御方法。
【請求項２３】
汎用の情報処理装置にインストールすることにより、その汎用の情報処理装置に、請求項７ないし１０のいずれかに記載のソースノードの機能に相応する機能を実現させるプログラム。
【請求項２４】
汎用の情報処理装置にインストールすることにより、その汎用の情報処理装置に、請求項１２ないし１５のいずれかに記載のシンクノードの機能に相応する機能を実現させるプログラム。
【発明の詳細な説明】
【技術分野】
【０００１】
本発明は、ディジタル伝送システムにおけるＶＣＡＴ(Virtual Concatenation)（ＩＴＵ−Ｔ  Ｇ．７０７）およびＬＣＡＳ(Link Capacity Adjustment Scheme)（ＩＴＵ−Ｔ  Ｇ．７０４２）に関する。
【背景技術】
【０００２】
ＶＣＡＴはＳＤＨディジタル伝送ネットワークにおける帯域の活用のために採用されている技術である。
【０００３】
ＬＣＡＳはコマンドによる無瞬断の帯域追加または削除を実現する他に、障害時の自律的なＶＣパス／メンバの削除または復旧を実現する。この機能はＳｏ（ソースノード（ＳｏＮｏｄｅ））と呼ばれる送信側の通信ノードとＳｋ（シンクノード（ＳｋＮｏｄｅ））と呼ばれる受信側の通信ノードとによるＶＣパス／メンバ単位の独立な双方向通信により実現する。この帯域の追加または削除の動作は片方向毎に独立である。
【０００４】
図１１は、経路差の存在するＳＤＨディジタル伝送ネットワークの例である。ＳｏからＳｋに至るまでにｒｏｕｔｅ♯１、ｒｏｕｔｅ♯２、ｒｏｕｔｅ♯３の３つの経路が存在する。Ｓｏ〜中継ノードａまでの区間はｒｏｕｔｅ♯２とｒｏｕｔｅ♯３の２つの伝送路が並走している。
【０００５】
Ｓｏと中継ノードａとはＬｉｎｋ♯１により接続され、中継ノードａと中継ノードｂとはＬｉｎｋ♯２により接続され、中継ノードｂとＳｋとはＬｉｎｋ♯３により接続され、Ｓｋと中継ノードａとはＬｉｎｋ♯４により接続され、Ｓｋと中継ノードｃとはＬｉｎｋ♯５により接続され、中継ノードｃとＳｏとはＬｉｎｋ♯６により接続されている。
【０００６】
ｒｏｕｔｅ♯２および♯３はＳｏと中継ノードａとの間でＬｉｎｋ♯１を共有している。
【０００７】
図１２はＳｏにおけるＶＣパス／メンバの生成過程を示している。入力される信号は、ＶＣＡＴ部３０においてＶＣ単位のパス信号に収容される。ＬＣＡＳ部４０において、Ｓｋに向けてＣＴＲＬ（ＣｏｎＴＲｏＬ）（ＤＮＵ（ＤｏＮｏｔＵｓｅ）、ＮＯＲＭ（Ｎｏｒｍａｌ）、ＥＯＳ（ＥｎｄＯｆＳｅｑｕｅｎｃｅ）などを伝達）等のＬＣＡＳ制御に関連する情報を持った周期的なマルチフレームパターンをＶＣパスの特定のパスオーバーヘッド（ＰＯＨ）（Ｈ４バイト等）に付加する。
【０００８】
Ｓｏに付随する制御端末（図示省略）を用いて各ＶＣパス／メンバと各ｒｏｕｔｅとの接続指定を行う。この設定により各ＶＣパス／メンバはそれぞれ指定されたｒｏｕｔｅを経てＳｋに至ることになる。
【０００９】
図１３はＳｋにおけるＶＣパス／メンバの終端過程を示している。ＳｋのＬＣＡＳ部４１において、受信したマルチフレームパターンよりＳｋに向けたＬＣＡＳ制御に関する情報を取り出す。そして、ＶＣＡＴ部３１においてＶＣ単位のパス信号より入力信号を復元して出力する。
【００１０】
ＬＣＡＳ部４１において取り出した情報に応じ、逆方向にＳｏに向けてＭＳＴ(MemberSTatus)（ＣＴＲＬを受信の場合にはＦＡＩＬ、ＯＫなどを伝達）等のＬＣＡＳ制御に関連する情報を持った周期的なマルチフレームパターンをＶＣパスの特定のパスオーバーヘッドに付加する。
【００１１】
Ｓｋに付随する制御端末（図示省略）を用いて各ＶＣパス／メンバと各ｒｏｕｔｅとの接続指定を行う。この設定により各ＶＣパス／メンバはそれぞれ指定されたｒｏｕｔｅを経てＳｋに至ることになる。
【００１２】
【特許文献１】特開２００３−１８８８４５号公報
【特許文献２】特開２００４−１５１７３号公報
【特許文献３】特開２００５−１０９８４８号公報
【発明の開示】
【発明が解決しようとする課題】
【００１３】
このようなＶＣＡＴでは、ＶＣパス／メンバ毎に処理を行うＬＣＡＳ制御手順の適用に当たってはその処理遅延または伝送遅延と、それに伴うデータ損失が問題となっている。
【００１４】
従来の問題点を図１４を参照して説明する。図１４は、従来構成（Ｓｏの主信号処理が図１２の構成、Ｓｋの主信号処理が図１３の構成）の経路差の存在する２つのルート（ｒｏｕｔｅ♯２、ｒｏｕｔｅ♯３）がＳｏ〜中継ノードａにおいて並走する区間Ｌｉｎｋ♯１での障害（ｆａｕｌｔ）発生時の自律的なＶＣパス／メンバの削除に至るまでのＬＣＡＳ処理シーケンスを示したものである。図中のｄ１、ｄ２、ｄ３はそれぞれｒｏｕｔｅ♯１、ｒｏｕｔｅ♯２、ｒｏｕｔｅ♯３の距離を示す。また、ｒｏｕｔｅ♯１とｒｏｕｔｅ♯２との往復伝搬時間の差（伝搬遅延）をｔ２、ｒｏｕｔｅ♯１とｒｏｕｔｅ♯３との往復伝搬時間の差（伝搬遅延）をｔ３とする。
【００１５】
Ｓｋにてｒｏｕｔｅ♯２または♯３の障害を検出すると、Ｓｏに向けてｒｏｕｔｅ♯１経由のＦＡＩＬを発出する。ＳｏはＦＡＩＬを受信後、Ｓｋに向けてＤＮＵを発出する。なお、ＳｋはＦＡＩＬを発出した時点でＶＣパス／メンバの削除を開始する。ＳｏはＤＮＵを発出後に該当ＶＣパス／メンバの削除を開始する。
【００１６】
従来、ＶＣパス／メンバ毎に独立したＬＣＡＳ制御手順が実施されており、ＬＣＡＳ動作時にＳｏまたはＳｋにおける処理遅延（図中のｔ１）や各ルートにおける往復の伝搬遅延（図中のｔ２、ｔ３）の影響を受けるため、障害検出後、自律的なＶＣパス／メンバの削除手順が完了するまでに時間ｔ４を要していた。
【００１７】
すなわち、一つのＬｉｎｋ♯１の障害発生であるにも係わらず、Ｌｉｎｋ♯１を共有する複数のルートのそれぞれについてＦＡＩＬおよびＤＮＵの送受信が必要であるためＬＣＡＳにおける処理手順の効率化に改善の余地がある。
【００１８】
本発明は、このような背景の下に行われたものであって、効率の良いＬＣＡＳにおける処理手順を実現し、損失データ量を低減することができるＶＣＡＴ伝送システムおよびＶＣＡＴ帯域制御方法を提供することを目的とする。
【課題を解決するための手段】
【００１９】
本発明は、入力信号をＶＣ単位のパス信号に収容し、ＶＣパスを用いて伝送するソースノードと、前記ＶＣパスにより伝送されたＶＣ単位のパス信号を受信して受信信号を出力するシンクノードとを備えたＶＣＡＴ伝送システムであって、本発明の特徴とするところは、前記ソースノードまたは前記シンクノードは、前記ＶＣパスの経路情報を保持する手段を備えたところにある。
【００２０】
また、本発明を前記ソースノードとしての観点から観ることもできる。すなわち、本発明は、前記ＶＣパスの経路情報を保持する手段を備えたことを特徴とするソースノードである。
【００２１】
また、本発明を前記シンクノードとしての観点から観ることもできる。すなわち、本発明は、前記ＶＣパスの経路情報を保持する手段を備えたことを特徴とするシンクノードである。
【００２２】
また、本発明を前記ソースノードが行うＶＣＡＴ帯域制御方法としての観点から観ることもできる。すなわち、本発明は、自ソースノードに隣接するノードの情報または自ソースノードから前記シンクノードまでの経路上の中継ノードの情報を経路情報として保持して利用することを特徴とするＶＣＡＴ帯域制御方法である。
【００２３】
また、本発明を前記シンクノードが行うＶＣＡＴ帯域制御方法としての観点から観ることもできる。すなわち、本発明は、前記ソースノードに隣接するノードの情報または前記ソースノードから自シンクノードまでの経路上の中継ノードの情報を経路情報として保持して利用することを特徴とするＶＣＡＴ帯域制御方法である。
【００２４】
また、本発明をプログラムとしての観点から観ることもできる。すなわち、本発明は、汎用の情報処理装置にインストールすることにより、その汎用の情報処理装置に、本発明のソースノードまたはシンクノードの機能に相応する機能を実現させるプログラムである。
【発明の効果】
【００２５】
ＶＣＡＴにより生成されるＶＣパス／メンバは、１つのデータセットを伝送路上でのＶＣパス／メンバ単位に分割して扱うため、ＳＤＨディジタル伝送ネットワークにおける帯域の活用という点では有効であるが、ＶＣパス／メンバに障害が発生するとその単位毎に帯域が減少してしまう。
【００２６】
加えてＬＣＡＳのような制御手順を実施する場合には、コマンドによる無瞬断の帯域追加または削除の実現という点は問題ないが、障害時の自律的なＶＣパス／メンバの削除または復旧の実現という点に関しては、その所要時間が損失データ量に大きく影響する。
（損失データ量）＝
（障害が発生したＶＣパス／メンバの帯域）×（各ＶＣパス／メンバにおけるＬＣＡＳ所要時間＋往復伝播遅延）
伝送路における障害はＶＣパス／メンバ単位ではなく、経路単位で発生する可能性が高い。それ故、本発明のように経路単位でグループ化し、障害発生時にグループに含まれる全てのメンバのパス削除処理または障害復旧時にグループに含まれる全てのメンバのパス追加処理を一括して行うことで、従来のＬＣＡＳ制御手順に従ったメンバ毎処理による遅延あるいは経路差による伝搬遅延に伴うＬＣＡＳ所要時間、すなわちデータ損失時間を低減する効果が期待できる。
【発明を実施するための最良の形態】
【００２７】
（実施例の概要の説明）
本発明の実施例を図面を参照して説明する。図１は本実施例のＳｏの主信号処理構成を示す図である。図２は本実施例のＳｋの主信号処理構成を示す図である。
【００２８】
本実施例は、図１に示すように、入力信号をＶＣ単位のパス信号に収容し、ＶＣパスを用いて伝送するＳｏと、図２に示すように、前記ＶＣパスにより伝送されたＶＣ単位のパス信号を受信して受信信号を出力するＳｋとを備えたＶＣＡＴ伝送システムである。システム構成は、図１１に示す構成として説明する。
【００２９】
ここで、特徴とするところは、ＳｏまたはＳｋは、前記ＶＣパスの経路情報を保持する経路情報保持部１０または２０を備えたことを特徴とする。
【００３０】
図３はＶＣパス／メンバ毎の接続設定例を示す図であり、図４および図７は経路情報保持部１０または２０の管理テーブルの構成例を示す図であるが、前記経路情報は、図３に示すように、接続先毎に経路単位でグループ化（以下では、これを経路グループという）され、例えば図４に示すように、Ｓｏに隣接する中継ノードの情報を含む。あるいは、前記経路情報は、例えば図７に示すように、ＳｏからＳｋまでの経路上の中継ノードの情報を含む。
【００３１】
また、Ｓｏの経路情報保持部１０からＳｋの経路情報保持部２０に経路情報を伝達するときには、ＶＣの有するパスオーバーヘッドのＦ３バイトなどの空きバイトに経路情報を搭載して伝達することができる。
【００３２】
（プログラムの実施例）
汎用の情報処理装置にインストールすることにより、その汎用の情報処理装置に、本実施例のＳｏまたはＳｋの機能に相応する機能を実現させるプログラムの実施例を説明する。
【００３３】
本実施例のプログラムは記録媒体に記録されることにより、前記汎用の情報処理装置は、この記録媒体を用いて本実施例のプログラムをインストールすることができる。あるいは、本実施例のプログラムを保持するサーバからネットワークを介して直接前記汎用の情報処理装置に本実施例のプログラムをインストールすることもできる。
【００３４】
これにより、汎用の情報処理装置を用いて、本実施例のＳｏまたはＳｋの機能に相応する機能を実現することができる。
【００３５】
なお、本実施例のプログラムは、汎用の情報処理装置によって直接実行可能なものだけでなく、ハードディスクなどにインストールすることによって実行可能となるものも含む。また、圧縮されたり、暗号化されたりしたものも含む。
【００３６】
（実施例の詳細な説明）
以下では、本実施例をさらに詳細に説明する。
【００３７】
本発明は、制御端末によるＶＣパス接続情報を利用し、一つの経路グループにおける障害検出時に、その障害情報を他経路グループのＶＣパス／メンバに転送し、迅速にＬＣＡＳ制御手順に基づく帯域制御を実施（開始）することを特徴とする。
【００３８】
経路差の存在するディジタル伝送システムにおいてルート（経路）間での伝搬遅延に伴うＬＣＡＳ制御の所要時間を抑制することができるため有用である。
【００３９】
（実施例の構成）
本実施例は、図１に示すように、Ｓｏの接続情報として隣接ノードに係わる情報を、ＬＣＡＳ部４０において実施される帯域（ＶＣパス／メンバ）の追加または削除に反映する機能を持つ経路情報保持部１０を設ける。または、図２に示すように、Ｓｋ側において、Ｓｏの接続情報として隣接ノードに係わる情報を、ＬＣＡＳ部４１において実施される帯域（ＶＣパス／メンバ）の追加または削除に反映する機能を持つ経路情報保持部２０を設ける。
【００４０】
本実施例において、図３に示すようにＶＣ３−７ｖのＶＣパス／メンバがＳｏおよびＳｋにおいて各ルートと接続設定されているとする。制御端末（図示省略）から設定する場合は図１または図２の経路情報保持部１０または２０ではＶＣパス／メンバと接続先（ルート）とが関連付けられて経路グループが生成される。これにＳｏの隣接ノード情報を加えて図４のような管理テーブルを作成する。
【００４１】
あるいは、ＮＭＳ(Network Management System)から設定する場合はＶＣパス／メンバの接続情報に加え、ルート途中のノードに係わるネットワーク情報が追加される。図５または図６の経路情報保持部１１または２１では図７のようなメンバ、接続先（ルート）に加え、途中経路を関連付ける管理テーブルを作成する。
【００４２】
図１４は、従来構成（Ｓｏの主信号処理が図１２の構成、Ｓｋの主信号処理が図１３の構成）の経路差の存在する２つのルート（ｒｏｕｔｅ♯２、ｒｏｕｔｅ♯３）がＳｏ〜中継ａにおいて並走する区間での障害（ｆａｕｌｔ）発生時の自律的なＶＣパス／メンバの削除に至るまでのＬＣＡＳ処理シーケンスを示したものである。
【００４３】
Ｓｋにて障害を検出すると、Ｓｏに向けてｒｏｕｔｅ♯１経由のＦＡＩＬを発出する。ＳｏはＦＡＩＬを受信後、Ｓｋに向けてＤＮＵを発出する。なお、ＳｋはＦＡＩＬを発出した時点で、ＶＣパス／メンバの削除を開始する。ＳｏはＤＮＵを発出後に該当ＶＣパス／メンバの削除を開始する。
【００４４】
従来、ＶＣパス／メンバ毎に独立したＬＣＡＳ制御手順が実施されており、ＬＣＡＳ動作時にＳｏまたはＳｋにおける処理遅延（図中のｔ１）や各ルートにおける往復の伝搬遅延（図中のｔ２、ｔ３）の影響を受けるため、障害検出後、自律的なＶＣパス／メンバの削除手順が完了するまでに時間ｔ４を要していた。
【００４５】
本実施例は、ＶＣＡＴ部において独立に生成されるＶＣパス／メンバを、ＶＣパス接続情報を利用することで接続先（ルート）毎にそれぞれ１つの経路グループとみなすことができる。そして経路情報または接続情報を利用してＶＣパス／メンバの経路グループ間の対応付けを行うことで、データ損失につながるＶＣＡＴを構成するＶＣパス／メンバの一部断状態の時間を抑制することができる。
【００４６】
（第一実施例）
第一実施例を図１、図２、図８を参照して説明する。図８は、Ｓｏの主信号処理が図１２の構成、Ｓｋの主信号処理が図２の構成の場合の経路差が存在する２つのルート（ｒｏｕｔｅ♯２、ｒｏｕｔｅ♯３）の並走する区間（Ｌｉｎｋ♯１）で障害発生時の自律的なＶＣパス／メンバの削除に至るまでのＬＣＡＳ処理シーケンスを示したものである。
【００４７】
Ｓｋは、経路の短いルート（ｒｏｕｔｅ♯２）のＶＣパス／メンバにて先に障害を検出すると、経路情報保持部２０を参照し、その経路グループを認識すると共に、Ｓｏとその隣接ノードとの関係を把握し、ｒｏｕｔｅ♯２に障害が発生した場合には、Ｌｉｎｋ♯１を共用するｒｏｕｔｅ♯３も使用不可であることを認識する。
【００４８】
そこで、Ｓｋは、Ｓｏへ向けてｒｏｕｔｅ♯２およびｒｏｕｔｅ♯３に対するｒｏｕｔｅ♯１経由のＦＡＩＬを発出する。ＳｏはＦＡＩＬを受信すると、Ｓｋに向けてｒｏｕｔｅ♯２および♯３双方のＤＮＵを一度に発出する。
【００４９】
従来は、ｒｏｕｔｅ♯２および♯３のそれぞれに関するＦＡＩＬおよびＤＮＵが個々に送受信されることになり、図１４に示すように、ｔ４のデータ損失時間が発生する。これに対し、第一実施例では、図８に示すように、データ損失時間が短縮されていることがわかる（図中のｔ５（＜ｔ４））。
【００５０】
（第二実施例）
第二実施例を図１、図１３、図９を参照して説明する。図９は、Ｓｏの主信号処理が図１の構成、Ｓｋの主信号処理が図１３の構成の場合の経路差が存在する２つのルート（ｒｏｕｔｅ♯２、ｒｏｕｔｅ♯３）の並走する区間（Ｌｉｎｋ♯１）で障害発生時の自律的なＶＣパス／メンバの削除に至るまでのＬＣＡＳ処理シーケンスを示したものである。
【００５１】
第二実施例では、Ｓｋは従来の構成であるので、従来のように、ｒｏｕｔｅ♯２および♯３のそれぞれについてＳｏに向けてＦＡＩＬを送信する。
【００５２】
これに対し、Ｓｏは、経路の短いルート（ｒｏｕｔｅ♯２）のＶＣパス／メンバにてＳｋからのＦＡＩＬを受信すると、経路情報保持部１０を参照し、その経路グループを認識すると共に、自Ｓｏと隣接ノードとの関係を把握し、ｒｏｕｔｅ♯２に障害が発生した場合には、Ｌｉｎｋ♯１を共用するｒｏｕｔｅ♯３も使用不可であることを認識する。
【００５３】
そこで、Ｓｏは、Ｓｋへ向けてｒｏｕｔｅ♯２およびｒｏｕｔｅ♯３に対するＤＮＵを一度に発出する。ＤＮＵを受信したＳｋの該当する経路グループに属するＶＣパス／メンバは、以降、通常のＬＣＡＳ手順に従う。
【００５４】
従来は、ｒｏｕｔｅ♯２および♯３のそれぞれに関するＦＡＩＬおよびＤＮＵが個々に送受信されることになり、図１４に示すように、ｔ４のデータ損失時間が発生する。これに対し、第二実施例では、図９に示すように、データ損失時間が短縮されていることがわかる（図中のｔ６（＜ｔ４））。
【００５５】
（その他の実施例）
ＶＣのパスオーバーヘッド（ＰＯＨ）にはＦ３バイト等の空きバイトが存在するので、図４のような経路情報（Ｓｏの隣接ノードの情報を含む）を、図１のようなＳｏの経路情報保持部１０からＬＣＡＳ部４０へ出力し、ＬＣＡＳ部４０より主信号の空きバイトへ挿入する。そして、図１０のようなＳｋのＬＣＡＳ部４１より抽出し、経路情報保持部２２へ出力するという構成も考え得る。
【００５６】
これによれば、Ｓｏの隣接ノード情報を取得するのは、Ｓｏ側のみでよく、Ｓｋ側ではＶＣパスのパスオーバーヘッドからＳｏの隣接ノード情報を取得できるため、Ｓｏの隣接ノード情報の効率の良い伝達を実現することができる。
【００５７】
また、ＮＭＳに基づく図７のような経路情報を、図５に示すＳｏの経路情報保持部１１からＬＣＡＳ部４０へ出力し、ＬＣＡＳ部４０より主信号の空きバイトへ挿入し、図１０に示すＳｋのＬＣＡＳ部４１より経路情報を抽出し、経路情報保持部２２へ出力するという構成も考え得る。
【産業上の利用可能性】
【００５８】
本発明によれば、ＶＣＡＴのＬＣＡＳ制御において、損失データ損失時間を低減させることに利用できる。これにより、サービス品質を向上させることができる。
【図面の簡単な説明】
【００５９】
【図１】本実施例のＳｏの主信号処理の構成図（Ｓｏの隣接ノード情報保持）。
【図２】本実施例のＳｋの主信号処理の構成図（Ｓｏの隣接ノード情報保持）。
【図３】ＶＣパス／メンバ毎の接続設定例を示す図。
【図４】Ｓｏの隣接ノード情報が記録された経路情報保持部の管理テーブルの例を示す図。
【図５】本実施例のＳｏの主信号処理の構成図（ネットワーク情報保持）。
【図６】本実施例のＳｋの主信号処理の構成図（ネットワーク情報保持）。
【図７】ネットワーク情報が記録された経路情報保持部の管理テーブルの例を示す図。
【図８】本実施例の処理シーケンスを示す図（Ｓｋ側に経路情報保持部）。
【図９】本実施例の処理シーケンスを示す図（Ｓｏ側に経路情報保持部）。
【図１０】本実施例のＳｋの主信号処理の構成図（ＰＯＨから情報取得）。
【図１１】ディジタル伝送ネットワークの例を示す図。
【図１２】従来のＳｏの主信号処理の構成図。
【図１３】従来のＳｋの主信号処理の構成図。
【図１４】従来の処理シーケンスを示す図。
【符号の説明】
【００６０】
１０、１１、２０、２１、２２  経路情報保持部
３０、３１  ＶＣＡＴ部
４０、４１  ＬＣＡＳ部
【図１】
2008306625.tif 000003
【図２】
2008306625.tif 000004
【図３】
2008306625.tif 000005
【図４】
2008306625.tif 000006
【図５】
2008306625.tif 000007
【図６】
2008306625.tif 000008
【図７】
2008306625.tif 000009
【図８】
2008306625.tif 000010
【図９】
2008306625.tif 000011
【図１０】
2008306625.tif 000012
【図１１】
2008306625.tif 000013
【図１２】
2008306625.tif 000014
【図１３】
2008306625.tif 000015
【図１４】
2008306625.tif 000016